(57)【要約】【課題】製造コストが安く、コネクタの機器本体への取付に工具を必要とせず、ノイズの発生が防止され、コネクタを機器本体へ強固に取付けることが可能なコネクタの機器本体への取付構造を提供する。【解決手段】コネクタボディ１の一端に設けた係止凸部１ｃを機器本体４に設けた係止凹部４ａに係止状態として前記コネクタボディ１を前記係止凹部４ａ回りに回動させ、コネクタボディの他端をねじ６で機器本体に設けたねじ穴４ｂに締着するコネクタの機器本体への取付構造において、前記ねじ６を頭部６ａから円筒部６ｂに連なってねじ部６ｃが同軸に延びる構造とし、前記円筒部６ｂを前記コネクタボディに設けた貫通穴と滑り可能な密嵌合とし、前記頭部６ａは軸方向位置が規制され回転可能に機器本体４に周囲の一部が露出するように保持されたつまみ５と回転方向が規制され軸方向が移動可能に嵌合し、前記頭部６ａと前記コネクタボディ１との間に介装されたばね７により前記ねじ６を突出方向に付勢した。【選択図】図３
2009032537.tif 000002
【特許請求の範囲】
【請求項１】
コネクタボディの一端に設けた係止凸部を機器本体に設けた係止凹部に係止状態として前記コネクタボディを前記係止凹部回りに回動させ、コネクタボディの他端をねじで機器本体に設けたねじ穴に締着するコネクタの機器本体への取付構造において、前記ねじを頭部から円筒部に連なってねじ部が同軸に延びる構造とし、前記円筒部を前記コネクタボディに設けた貫通穴と滑り可能な密嵌合とし、前記頭部は軸方向位置が規制され回転可能に機器本体に周囲の一部が露出するように保持されたつまみと回転方向が規制され軸方向が移動可能に嵌合し、前記頭部と前記コネクタボディとの間に介装されたばねにより前記ねじが突出方向に付勢されているコネクタの機器本体への取付構造。
【請求項２】
前記つまみは前記コネクタボディの角近傍に配置され、その周囲が円弧角９０°以上に亘り外部に露出している請求項１のコネクタの機器本体への取付構造。    
【請求項３】
前記ねじが前記コネクタボディを前記機器本体に締着するときに前記コネクタボディおよび前記機器本体の近接する夫々の面に接続端子が設けられており、前記コネクタボディが前記機器本体に締着された状態で前記接続端子が当接状態となることでコネクタが機器本体と電気的に接続状態となる請求項１または２のコネクタの機器本体への取付構造。
【請求項４】
前記コネクタボディおよび前記機器本体のいずれかに前記接続端子を囲むように防水パッキングが付設されており、コネクタボディが機器本体へ締着された状態で前記防水パッキングが前記コネクタボディおよび前記機器本体により挟圧されて前記接続端子およびその周囲が防水状態となる請求項３のコネクタの機器本体への取付構造。    
【請求項５】
前記機器本体が無線機本体であり、前記コネクタがスピーカマイクロホンを無線機本体に接続する請求項１から４のいずれかに記載されたコネクタの機器本体への取付構造。
【発明の詳細な説明】
【技術分野】
【０００１】
この発明はコネクタの機器本体への取付構造に関する。
【背景技術】
【０００２】
従来から携帯用無線機にスピーカマイクロホンをコネクタで接続して使用するものが知られている。例えば、特開平９−１３９６９１号公報に提案された携帯用無線機では、腰のベルトに取り付けられる無線機本体１に、胸ポケットまたは肩ベルトに収納されるスピーカ・マイク装置２をケーブル９で接続する。
【０００３】
この携帯用無線機ではピンジャック型のコネクタによりケーブル９が無線機本体１に接続される。従って、ケーブル９を引っ張るとケーブル９が無線機本体１から離れるという問題があった。
【０００４】
特開２００７−２８２５０号公報に提案された携帯用無線機のスピーカマイクロホン接続ケーブル固定装置では、ケーブル側コネクタのコネクタボディ３の一方の側の軸４が本体側のフック５に係止され、ケーブル側のコネクタボディ３の他方の側がばねで付勢されたスライドロック６のロック爪で係止される。
【０００５】
このケーブル固定装置は工具を用いることなくスピーカマイクロホン接続ケーブルを無線機本体に固定できるが、摺動自在のスライドロック６でケーブル側コネクタのコネクタボディ３を係止しているので、コネクタボディ３を強固に無線機本体に固定できず、ケーブル２を強く引っ張るとケーブル側コネクタが外れる恐れがあった。
【０００６】
スピーカマイクロホンのコネクタをねじで強固に無線機本体に固定する従来のコネクタの無線機本体への取付構造の例を図４〜図６により説明する。図４は従来のコネクタの無線機本体への取付構造の例を示す斜視図、図５は同取付構造を示す部分断面図、図６は同取付構造を示す断面図である。
【０００７】
図４に示すスピーカマイクロホン２はスピーカ、マイクロホンおよびＰＴＴ（push to talk）を内蔵しており、これらはコード３によりコネクタボディ８に設けられた接続端子８ｄに接続されている。なお、接続端子８ｄは図面が簡単となるように図４および図６において１個のみ示しているが、１列または２列に複数個設けられている。
【０００８】
樹脂製のコネクタボディ８はコネクタボディ上８ａとコネクタボディ下８ｂとが嵌着または接着により一体に形成されている。コネクタボディ８はねじ９により無線機本体４に締着されるが、特殊部品であるねじ９がコネクタボディ８から分離すると紛失する恐れがあるため、図５に示すように、ねじ９がコネクタボディ８から分離しない構成となっている。
【０００９】
すなわち、図５に示す金属製のねじ９は円筒部９ｂをコネクタボディ８の貫通穴に挿通させて頭部９ａに圧入して形成されている。円筒部９ｂの下部はねじ部９ｃと一体となっており、ねじ部９ｃの外径Ｄはコネクタボディ８の貫通穴の内径ｄより大きい。また、円筒部９ｂの外径Ｄ１は貫通穴の内径ｄより十分に小さくなっており、後で説明するように円筒部９ｂと貫通穴との間に大きいクリアランスが設けられている。
【００１０】
コネクタボディ８を無線機本体４に締着する様子を図６により説明する。図６（ａ）はコネクタボディ８が無線機本体４に締着される位置から上方に配置されている状態を示している。無線機本体４は大部分が樹脂により作られているが、ねじ穴４ｂの部分は耐久性を持たせるため金属で作られている。
【００１１】
コネクタボディ８を無線機本体４に締着するには先ず図６（ｂ）に示すようにコネクタボディ８の係止凸部８ｃを無線機本体４の係止凹部４ａに係合させてコネクタボディ８を係止凹部４ａ回りに回動させてねじ９のねじ部９ｃをねじ穴４ｂの入り口に当接させる。この状態ではねじ９は回転しなければねじ穴４ｂに入り込まない。
【００１２】
図６（ｂ）に示す状態ではコネクタボディ８ｂが傾いているので、円筒部９ｂと貫通穴との間のクリアランスを大きくしないと、ねじ部９ｃとねじ穴４ｂとの軸を一致させることができない。
【００１３】
ねじ部９ｃとねじ穴４ｂとの軸を一致させるようにしてねじ９を工具により回転させてねじ９をねじ穴４ｂにねじ込むことにより図３（ｃ）に示すように、コネクタボディ８が無線機本体４に締着された状態となる。この状態において、コネクタボディ８の下面に付設され、接続端子８ｄの周囲を囲む防水パッキング８ｅがコネクタボディ８と無線機本体４とで挟圧されて接続端子８ｄとそれに当接する無線機本体４の接続端子４ｃの周囲が防水される。
【特許文献１】特開平９−１３９６９１号公報、段落０００９〜段落００１０、図１
【特許文献２】特開２００７−２８２５０号公報、段落００１７〜段落００２１、図１
【発明の開示】
【発明が解決しようとする課題】
【００１４】
上記した図４〜図６に示す従来のコネクタの無線機本体への取付構造では、ねじ９でコネクタボディ８を無線機本体４に締着するためにコネクタボディで８を強固に無線機本体４に固定することができる。しかしながらコネクタボディ８を固定するために工具が必要であり、不便であった。
【００１５】
また、コネクタボディ８とねじ９との間に大きいクリアランスが必要であるため、ねじ９でコネクタボディ８を無線機本体４に位置決めする部材をコネクタボディ８と無線機本体４との合わせ面に設けなければならず、有効利用できるスペースの点で不利である。
【００１６】
なお、コネクタボディ８を無線機本体４に位置決めしない場合は、取付時また取付後のガタつきによりゴム製のパッキングに歪みやこすれが生じて防水性能が劣化する恐れがある。
【００１７】
さらに、ねじ９は衝撃に対する強度を持たせ、耐久性を高めるために金属製とする必要があるが、ねじ９と螺合する無線機本体４のねじ穴４ｂはアルミや亜鉛ダイカストあるいは板金類の金属製シャーシに切られており、ねじ９がグランドに接続状態となる。このため、通信中にねじ９に手や鍵等の金属に触れると送信波にノイズが乗る不具合が発生する。なお、ねじ９の頭部を樹脂で覆う構造とすると、樹脂部が外部から衝撃を受けると破損して剥がれる恐れがある。
【００１８】
また、ねじ９は圧入構造とする必要があるが、そのためには部品の寸法公差を高くする必要があり、樹脂部品に挿通させた状態で圧入する工程は組立て工数を増大させて製造コストが高くなるという問題もあった。
【００１９】
この発明は上記した点に鑑みてなされたものであって、その目的とするところは、製造コストが安く、コネクタの機器本体への取付に工具を必要とせず、ノイズの発生が防止され、コネクタを機器本体へ強固に取付けることが可能なコネクタの機器本体への取付構造を提供することにある。
【課題を解決するための手段】
【００２０】
この発明のコネクタの機器本体への取付構造は、コネクタボディの一端に設けた係止凸部を機器本体に設けた係止凹部に係止状態として前記コネクタボディを前記係止凹部回りに回動させ、コネクタボディの他端をねじで機器本体に設けたねじ穴に締着するコネクタの機器本体への取付構造において、前記ねじを頭部から円筒部に連なってねじ部が同軸に延びる構造とし、前記円筒部を前記コネクタボディに設けた貫通穴と滑り可能な密嵌合とし、前記頭部は軸方向位置が規制され回転可能に機器本体に周囲の一部が露出するように保持されたつまみと回転方向が規制され軸方向が移動可能に嵌合し、前記頭部と前記コネクタボディとの間に介装されたばねにより前記ねじが突出方向に付勢されているものである。
【００２１】
また、前記コネクタの機器本体への取付構造において、前記つまみは前記コネクタボディの角近傍に配置され、その周囲が円弧角９０°以上に亘り外部に露出しているものである。
【００２２】
また、前記コネクタの機器本体への取付構造において、前記ねじが前記コネクタボディを前記機器本体に締着するときに前記コネクタボディおよび前記機器本体の近接する夫々の面に接続端子が設けられており、前記コネクタボディが前記機器本体に締着された状態で前記接続端子が当接状態となることでコネクタが機器本体と電気的に接続状態となるものである。
【００２３】
また、前記コネクタの機器本体への取付構造において、前記コネクタボディおよび前記機器本体のいずれかに前記接続端子を囲むように防水パッキングが付設されており、コネクタが機器本体へ締着された状態で前記防水パッキングが前記コネクタボディおよび前記機器本体により挟圧されて前記接続端子およびその周囲が防水状態となるものである。
【００２４】
また、前記各コネクタの機器本体への取付構造において、前記機器本体を無線機本体でとし、前記コネクタをスピーカマイクロホンを無線機本体に接続するものとしたものである。
【発明の効果】
【００２５】
この発明のコネクタの機器本体への取付構造によれば、金属製のねじでコネクタボディを機器本体に締着するため、コネクタボディを強固に固定でき、しかも金属製のねじが外部に露出しないので、送信波にノイズが乗ることがない。
【００２６】
また、コネクタボディを機器本体に締着するねじによりコネクタボディを機器本体に位置決めできるので、コネクタボディと機器本体との合わせ面に他に位置決め部材を設ける必要がなく、省スペース化が達成できる。
【発明を実施するための最良の形態】
【００２７】
以下この発明を実施するための最良の形態を実施例に即して説明する。図１はこの発明の実施例であるコネクタの無線機本体への取付構造を示す斜視図、図２は同取付構造を示す部分分解斜視図、図３は同取付構造を示す断面図である。
【００２８】
この実施例の無線機本体４は図４〜図６で説明したものと同様であり、同一の符号を付してその詳細を省略する。
【００２９】
従来例で説明したものと同様のスピーカマイクロホン２はコード３によりコネクタボディ１に設けられた接続端子１ｄに接続されている。なお、接続端子１ｄは図面が簡単となるように図１および図３において１個のみ示しているが、従来例と同様に１列または２列に複数個設けられている。
【００３０】
樹脂製のコネクタボディ１はコネクタボディ上１ａとコネクタボディ下１ｂとが嵌着または接着により一体に形成されている。コネクタボディ１はねじ６により無線機本体４に締着されるが、特殊部品であるねじ６がコネクタボディ１から分離すると紛失する恐れがあるため、図２および図３に示すように、ねじ６がコネクタボディ１から分離しない構成となっている。
【００３１】
すなわち、図２に示すように、金属製のねじ６は頭部６ａ、円筒部６ｂおよびねじ部６ｃが一体となっており、図２および図３に示すように円筒部６ｂおよびねじ部６ｃがコネクタボディ１に挿通され、頭部６ａはコネクタボディ１により上下方向の動きが規制されるつまみ５の長穴５ａと嵌合し、コネクタボディ１との間に嵌装されたコイルばね７により突出方向に付勢されている。
【００３２】
頭部６ａとつまみ５は回転方向には相対移動しないので、図１に示すように、つまみ５の円弧角９０°以上に亘り外部に露出した外縁の波形面を手で回すことによりねじ６を容易に回転させることができる。
【００３３】
ねじ６の円筒部６ｂの外径はコネクタボディ１の貫通穴の内径より僅かに小さく、ねじ６はコネクタボディ１に蜜嵌合されクラアランスは小さいが回転可能となっている。また、ねじ部６ｃの外径は円筒部６ｂの外径より小さくなっている。
【００３４】
コネクタボディ１を無線機本体４に締着する様子を図３により説明する。図３（ａ）はコネクタボディ１が無線機本体４に締着される位置から上方に配置されている状態を示している。
【００３５】
コネクタボディ１を無線機本体４に締着するには先ず図３（ｂ）に示すようにコネクタボディ１の係止凸部１ｃを無線機本体４の係止凹部４ａに係合させてコネクタボディ１を係止凹部４ａ回りに回動させてねじ６のねじ部６ｃをねじ穴４ｂの入り口に当接させる。この状態ではねじ６は回転しないのでねじ穴４ｂに入り込まない。
【００３６】
図３（ｂ）に示す状態ではコネクタボディ１と無線機本体４の合わせ面は平行となり、ねじ部６ｃとねじ穴４ｂとの軸は一致している。従って、つまみ５によりねじ５を回転させてねじ５をねじ穴４ｂにねじ込むことにより図３（ｃ）に示すように、コネクタボディ１が無線機本体４に締着された状態となる。この状態において、コネクタボディ１の下面に付設され、接続端子１ｄの周囲を囲む防水パッキング１ｅがコネクタボディ１と無線機本体４とで挟圧されて接続端子１ｄとそれに当接する無線機本体４の接続端子４ｃの周囲が防水される。
【００３７】
このように、工具を用いることなく、コネクタボディ１を無線機本体４に締着できる。また、図１に示すように、つまみ５の周囲は大きく外部に露出しており、つまみ５の外径を適度の大きさとすることでコネクタボディ１を無線機本体４に容易に締着することができるようになる。
【００３８】
また、ねじ５とコネクタボディ１との間にガタがないのでねじ５によりコネクタボディ１の位置決めが行われ省スペース化が達成される。
【００３９】
実施例は以上のように構成されているが発明はこれに限られず、例えば、ねじ６とつまみ５の嵌合部を六角形としてもよい。その場合、ねじ６とつまみ５の圧接面が広くなるのでつまみ５により強い回転力をねじ６に伝えることができる。
【００４０】
また、この発明を家庭用電機製品、パソコン、計測機器、医療機器等コネクタ接続の信頼性が要求される他の電子機器に適用することも可能である。
【図面の簡単な説明】
【００４１】
【図１】この発明の実施例であるコネクタの機器本体への取付構造を示す斜視図である。
【図２】同取付構造を示す部分分解斜視図である。
【図３】同取付構造を示す断面図である。
【図４】従来のコネクタの機器本体への取付構造の例を示す斜視図である。
【図５】同取付構造を示す部分断面図である。
【図６】同取付構造を示す断面図である。
【符号の説明】
【００４２】
１  コネクタボディ、１ａ  コネクタボディ上、１ｂ  コネクタボディ下
１ｃ  係止凸部、１ｄ  接続端子、１ｅ  防水パッキング
２  スピーカマイクロホン
３  コード
４  無線機本体、４ａ  係止凹部、４ｂ  ねじ穴、４ｃ  接続端子
５  つまみ、５ａ  長穴、５ｂ  波形面
６  ねじ、６ａ  頭部、６ｂ  円筒部、６ｃ  ねじ部
７  コイルばね
８  コネクタボディ、８ａ  コネクタボディ上、８ｂ  コネクタボディ下
８ｃ  係止凸部、８ｄ  接続端子、８ｅ  防水パッキング
９  ねじ、９ａ  頭部、９ｂ  円筒部、９ｃ  ねじ部
【図１】
2009032537.tif 000003
【図２】
2009032537.tif 000004
【図３】
2009032537.tif 000005
【図４】
2009032537.tif 000006
【図５】
2009032537.tif 000007
【図６】
2009032537.tif 000008